(57)【特許請求の範囲】
【請求項１】
所定の宛先端末との相互通信の開始を要求する際に、各端末の通信状態を管理する通信管理システムに対して、前記開始を要求する端末を識別するための開始端末識別情報として、自端末を識別するための自端末識別情報を送信する端末であって、
所定の他端末に対して自端末を識別するための自端末識別情報を提供する提供手段と、
前記提供された前記自端末識別情報で示される前記自端末を宛先として前記他端末から前記通信管理システムを介して送られた、前記他端末を識別するための他端末識別情報を受信する受信手段と、
所定の宛先端末との相互通信の開始を要求する際に、前記通信管理システムに対して、前記開始端末識別情報として、前記自端末識別情報に替えて前記受信された他端末識別情報を送信する送信手段と、
を有することを特徴とする端末。
【請求項２】
前記送信手段は、前記所定の宛先端末との相互通信の開始を要求する際に、前記通信管理システムに対して、前記宛先端末を識別するための宛先端末識別情報を送信することを特徴とする請求項１に記載の端末。
【請求項３】
前記送信手段は、前記通信管理システムに対して、前記自端末の通信状態が通信中である旨を示す状態情報を送信し、前記他端末の通信状態が通信中である旨を示す状態情報を送信することを特徴とする請求項１又は２項に記載の端末。
【請求項４】
前記送信手段は、前記通信管理システムに対して、前記相互通信から前記自端末を退出させる要求を示す退出要求情報を送信し、前記他端末の通信を切断させる要求を示す切断要求情報を送信することを特徴とする請求項３に記載の端末。
【請求項５】
前記送信手段は、前記通信管理システムに対して、前記自端末の通信状態が通信可能である旨を示す状態情報を送信し、前記他端末の通信状態が通信セッションから切断中である旨を示す状態情報を送信することを特徴とする請求項４に記載の端末。
【請求項６】
前記提供手段は、前記自端末識別情報を示すバーコードを表示させることを特徴とする請求項１乃至５のいずれか一項に記載の端末。
【請求項７】
前記提供手段は、近距離無線通信により前記他端末に対して前記自端末識別情報を送信することを特徴とする請求項１乃至５のいずれか一項に記載の端末。
【請求項８】
前記受信手段は、前記他端末から前記通信管理システムを介して前記他端末識別情報と共に送られて来た前記他端末の認証情報を受信し、
前記送信手段は、前記他端末識別情報と共に前記認証情報を前記通信管理システムに送信すること
を特徴とする請求項１乃至７のいずれか一項に記載の端末。
【請求項９】
請求項１乃至８のいずれか一項に記載の端末と、
前記通信管理システムと、
前記提供手段によって提供された前記自端末識別情報を取得し、前記通信管理システムを介して前記端末に対して、前記他端末識別情報を送信すると共に、前記端末に前記宛先端末との相互通信の開始させる指示を示す開始指示情報を送信する他端末と、
を有することを特徴とする通信システム。
【請求項１０】
所定の宛先端末との相互通信の開始を要求する際に、各端末の通信状態を管理する通信管理システムに対して、前記開始を要求する端末を識別するための開始端末識別情報として、自端末を識別するための自端末識別情報を送信する端末が実行する通信方法であって、
所定の他端末に対して自端末を識別するための自端末識別情報を提供する提供ステップと、
前記提供された前記自端末識別情報で示される前記自端末を宛先として前記他端末から前記通信管理システムを介して送られた、前記他端末を識別するための他端末識別情報を受信する受信ステップと、
所定の宛先端末との相互通信の開始を要求する際に、前記通信管理システムに対して、前記開始端末識別情報として、前記自端末識別情報に替えて前記受信された他端末識別情報を送信する送信ステップと、
を実行することを特徴とする通信方法。
【請求項１１】
コンピュータに、請求項１０に記載の方法を実行させることを特徴とするプログラム。
【発明の詳細な説明】
【技術分野】
【０００１】
本発明は、端末、通信システム、通信方法、及びプログラムに関する。
【背景技術】
【０００２】
出張経費及び出張時間の削減要請に伴い、複数の拠点でビデオ会議（「ビデオ会議」ともいう）を行うためのビデオ会議システムが普及している。このようなビデオ会議システムでは、複数のビデオ会議端末等の通信端末間で、直接、画像データ及び音データの送受信を行うことで、会話（通信）を実現している（特許文献１参照）。
【０００３】
また、スマートフォン等の移動体端末はビデオ会議端末等よりも比較的小型であり、しかも利用者が手元に持っている場合が多いため、利用者は移動体端末を利用して手軽に宛先端末を選択する等の操作を行なうことができる。
【発明の概要】
【発明が解決しようとする課題】
【０００４】
しかしながら、移動体端末の表示画面が小さいために、遠隔通信で十分に相手との意思疎通を図ることができない場合がある。一方で、ビデオ会議端末等の通信端末の表示画面は比較的大きいが、利用者がテレビ会議端末等の通信端末を利用して通信の開始要求を行なう場合、移動体端末のように手軽に操作することができない。よって、操作の手軽さと相手との意思疎通の向上の両方を満たすことが困難である。
【課題を解決するための手段】
【０００５】
請求項１に係る発明は、所定の宛先端末との相互通信の開始を要求する際に、各端末の通信状態を管理する通信管理システムに対して、前記開始を要求する端末を識別するための開始端末識別情報として、自端末を識別するための自端末識別情報を送信する端末であって、所定の他端末に対して自端末を識別するための自端末識別情報を提供する提供手段と、前記提供された前記自端末識別情報で示される前記自端末を宛先として前記他端末から前記通信管理システムを介して送られた、前記他端末を識別するための他端末識別情報を受信する受信手段と、所定の宛先端末との相互通信の開始を要求する際に、前記通信管理システムに対して、前記開始端末識別情報として、前記自端末識別情報に替えて前記受信された他端末識別情報を送信する送信手段と、を有することを特徴とする端末である。
【発明の効果】
【０００６】
以上説明したように本発明によれば、操作の手軽さと相手との意思疎通の向上の両方を満たすことができるという効果を奏する。
【図面の簡単な説明】
【０００７】
【図１】本実施形態の通信システムのうちビデオ会議の通信部分を示した概略図である。
【図２】本実施形態に係るビデオ会議端末のハードウェア構成図である。
【図３】本実施形態に係る通信管理システム及び中継装置のハードウェア構成図である。
【図４】本実施形態に係る電子黒板のハードウェア構成図である。
【図５】本実施形態に係るスマートフォンのハードウェア構成図である。
【図６】本実施形態に係る通信システムの全体構成図である。
【図７】本実施形態に係る通信システムの各機能ブロック図である。
【図８】本実施形態に係る通信システムの各機能ブロック図である。
【図９】認証管理テーブルを示す概念図である。
【図１０】端末管理テーブルを示す概念図である。
【図１１】宛先リスト管理テーブルを示す概念図である。
【図１２】セッション管理テーブルを示す概念図である。
【図１３】通信情報管理テーブルを示す概念図である。
【図１４】通信の準備処理を示したシーケンス図である。
【図１５】（ａ）移動体端末９０ａにおけるログイン画面を示した画面例、（ｂ）移動体端末９０ａにおける宛先リストを示した画面例、（ｃ）通信端末１０における宛先リストを示した画面例である。
【図１６】切替元端末が他の端末と相互通信中に、切替先端末に対して相互通信を切り替えるための指示を行なう処理を示したシーケンス図である。
【図１７】移動体端末が他の端末と相互通信する際の画面例を示した図である。
【図１８】（ａ）は相互通信を切り替える際の切替先端末における画面例、（ｂ）は相互通信を切り替える際の切替元端末における画面例である。
【図１９】切替先端末が切替元端末に代わって切替元端末のログイン及び状態変更通知を行なう処理を示したシーケンス図である。
【図２０】端末間で相互通信を開始するためのシーケンス図である。
【図２１】（ａ）は相互通信中の通信端末７０ｄ側の画面例を示した図、（ｂ）は相互通信中の通信端末７０ａ側の画面例を示した図である。
【図２２】（ａ）、（ｂ）通信端末１０における宛先リストを示した画面例である。
【図２３】相互通信を終了する場合の処理を示したシーケンス図である。
【発明を実施するための形態】
【０００８】
以下、図面を用いて、本発明の一実施形態について説明する。
【０００９】
＜＜通信システムの全体構成＞＞
まず、図１を用いて、複数の通信端末１０，７０間でビデオ会議を行なうための通信システム１について説明する。図１は、本実施形態の通信システムのうちビデオ会議の通信部分を示した概略図である。
【００１０】
なお、「ビデオ会議」ではなく「テレビ会議」と呼ばれる場合もある。また、ここでは、一例として、ビデオ会議について説明するが、単なる会話であってもよい。
【００１１】
通信システム１は、複数の通信端末１０，７０、中継装置３０、及び通信管理５０によって構築されている。通信端末１０，７０は、コンテンツデータの一例としての画像データ及び音データの送受信による通信を行なう。図１では、通信端末１０の一例としてビデオ会議端末が示され、通信端末７０の一例として電子黒板が示されている。なお、画像データの画像は、動画であっても静止画であってもよく、動画と静止画の両方であってもよい。
【００１２】
また、ビデオ会議の開始を要求する要求元としての通信端末は「開始端末」と表され、要求先である宛先（中継先）としての通信端末は「宛先端末」と表されている。図１では、通信端末７０が開始端末として、通信端末１０が宛先端末として表されている。但し、通信端末１０からビデオ会議の開始を要求する場合は、通信端末１０が開始端末となり、通信端末７０が宛先端末となる。なお、各通信端末１０，７０は、複数の事業所間での通信や、同じ事業所内の異なる部屋間での通信だけでなく、同じ部屋内での通信や、屋外と屋内又は屋外と屋外での通信で使われてもよい。
【００１３】
中継装置３０は、複数の通信端末１０，７０間で、コンテンツデータを中継する処理を行なう。通信管理システム５０は、通信端末１０，７０からのログイン認証、通信端末１０、７０の通信状況の管理、宛先リストの管理、及び中継装置３０の通信状況等を一元的に管理する。なお、中継装置３０、及び通信管理システム５０は、単一のコンピュータによって構築されてもよいし、各部（機能又は手段）を分割して任意に割り当てられた複数のコンピュータによって構築されていてもよい。
【００１４】
また、通信システム１において、開始端末と宛先端末との間では、通信管理システム５０を介して、各種の管理情報を送受信するための管理情報用セッションｓｅｉが確立される。また、開始端末と宛先端末との間では、中継装置３０を介して、高解像度の画像データ、中解像度の画像データ、低解像度の画像データ、及び音データの４つの各データを送受信するための４つのセッションが確立される。図１では、これら４つのセッションをまとめて、画像・音データ用セッションｓｅｄとして示している。なお、画像・音データ用セッションｓｅｄは、必ずしも４つのセッションである必要はなく、４つのセッション数より少ない又は多いセッション数であってもよい。また、開始端末と宛先端末との間で、中継装置３０を介さずに、直接、通信セッションを確立してもよい。
【００１５】
ここで、本実施形態で扱われる画像データの画像の解像度について説明する。低解像度の画像データは、例えば、横が１６０画素、縦が１２０画素から成り、ベース画像となる。中解像度の画像データは、横が３２０画素、縦が２４０画素から成る。高解像度の画像データは、例えば、横が６４０画素、縦が４８０画素から成る。このうち、狭帯域経路を経由する場合には、ベース画像となる低解像度の画像データのみから成る低画質の画像データが中継される。帯域が比較的広い場合には、ベース画像となる低解像度の画像データ、及び中解像度の画像データから成る中画質の画像データが中継される。また、帯域が非常に広い場合には、ベース画質となる低解像度の画像データ、中画解像度の画像データ、及び高解像度の画像データから成る高画質の画像データが中継される。音データは、画像データに比べてデータ量が少ないため、狭帯域経路であっても中継される。
【００１６】
＜＜実施形態のハードウェア構成＞＞
次に、本実施形態のハードウェア構成を説明する。
【００１７】
＜ビデオ会議端末のハードウェア構成＞
図２は、本実施形態に係るビデオ会議端末のハードウェア構成図である。図２に示されているように、本実施形態の通信端末１０の一例としてのビデオ会議端末は、ＣＰＵ１０１、ＲＯＭ１０２、ＲＡＭ１０３、フラッシュメモリ１０４、ＳＳＤ１０５、メディアＩ／Ｆ１０７、操作ボタン１０８、電源スイッチ１０９、バスライン１１０、ネットワークＩ／Ｆ１１１、カメラ１１２、撮像素子Ｉ／Ｆ、マイク１１４、スピーカ１１５、音入出力Ｉ／Ｆ１１６、ディスプレイＩ／Ｆ１１７、外部機器接続Ｉ／Ｆ１１８、近距離通信回路１１９、近距離通信回路１１９のアンテナ１１９ａを備えている。これらのうち、ＣＰＵ(Central Processing Unit)１０１は、通信端末１０全体の動作を制御する。ＲＯＭ(Read Only Memory)１０２は、ＩＰＬ(Initial Program Loader)等のＣＰＵ１０１の駆動に用いられるプログラムを記憶する。ＲＡＭ(Random Access Memory)１０３は、ＣＰＵ１０１のワークエリアとして使用される。フラッシュメモリ１０４は、通信用プログラム、画像データ、及び音データ等の各種データを記憶する。ＳＳＤ（Solid State Drive）１０５は、ＣＰＵ１０１の制御にしたがってフラッシュメモリ１０４に対する各種データの読み出し又は書き込みを制御する。なお、ＳＳＤに代えてＨＤＤを用いてもよい。メディアＩ／Ｆ１０７は、フラッシュメモリ等の記録メディア１０６に対するデータの読み出し又は書き込み（記憶）を制御する。操作ボタン１０８は、通信端末１０の宛先を選択する場合などに操作されるボタンである。電源スイッチ１０９は、通信端末１０の電源のＯＮ／ＯＦＦを切り換えるためのスイッチである。
【００１８】
また、ネットワークＩ／Ｆ(Interface)１１１は、インターネット等の通信ネットワーク４を利用してデータ通信をするためのインターフェースである。カメラ１１２は、ＣＰＵ１０１の制御に従って被写体を撮像して画像データを得る内蔵型の撮像手段の一種である。撮像素子Ｉ／Ｆ１１３は、カメラ１１２の駆動を制御する回路である。マイク１１４は、音声を入力する内蔵型の集音手段の一種である。音入出力Ｉ／Ｆ１１６は、ＣＰＵ１０１の制御に従ってマイク１１４及びスピーカ１１５との間で音信号の入出力を処理する回路である。ディスプレイＩ／Ｆ１１７は、ＣＰＵ１０１の制御に従って外付けのディスプレイ１２０に画像データを送信する回路である。外部機器接続Ｉ／Ｆ１１８は、各種の外部機器を接続するためのインターフェースである。近距離通信回路１１９は、ＮＦＣ(Near Field Communication)（登録商標）、Ｂｌｕｅｔｏｏｔｈ（登録商標）等の通信回路である。
【００１９】
また、バスライン１１０は、図２に示されているＣＰＵ１０１等の各構成要素を電気的に接続するためのアドレスバスやデータバス等である。
【００２０】
ディスプレイ１２０は、被写体の画像や操作用アイコン等を表示する液晶や有機ＥＬによって構成された表示手段の一種である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(High-Definition Multimedia Interface)（登録商標）やＤＶＩ(Digital Video Interactive)信号用のケーブルであってもよい。
【００２１】
なお、カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。外部機器接続Ｉ／Ｆ１１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００２２】
また、記録メディア１０６は、通信端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００２３】
＜通信管理システム及び中継装置のハードウェア構成＞
図３は、本実施形態に係る通信管理システム５０及び中継装置３０のハードウェア構成図である。通信管理システム５０の一例としてのサーバコンピュータは、ＣＰＵ５０１、ＲＯＭ５０２、ＲＡＭ５０３、ＨＤ５０４、ＨＤＤ(Hard Disk Drive)５０５、記録メディア５０６、メディアＩ／Ｆ５０７、ディスプレイ５０８、ネットワークＩ／Ｆ５０９、キーボード５１１、マウス５１２、ＣＤ−ＲＯＭドライブ５１４、及び、バスライン５１０を備えている。
【００２４】
これらのうち、ＣＰＵ５０１は、通信管理システム５０全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤ５０４は、通信管理用プログラム等の各種データを記憶する。ＨＤＤ(Hard Disk Drive)５０５は、ＣＰＵ５０１の制御にしたがってＨＤ５０４に対する各種データの読み出し又は書き込みを制御する。メディアＩ／Ｆ５０７は、フラッシュメモリ等の記録メディア５０６に対するデータの読み出し又は書き込み（記憶）を制御する。ディスプレイ５０８は、カーソル、メニュー、ウィンドウ、文字、又は画像などの各種情報を表示する。ネットワークＩ／Ｆ５０９は、インターネット等の通信ネットワーク４を利用してデータ通信をするためのインターフェースである。キーボード５１１は、文字、数値、各種指示などの入力のための複数のキーを備えた入力手段の一種である。マウス５１２は、各種指示の選択や実行、処理対象の選択、カーソルの移動などを行う入力手段の一種である。ＣＤ−ＲＯＭドライブ５１４は、着脱可能な記録媒体の一例としてのＣＤ−ＲＯＭ(Compact Disc Read Only Memory)５１３に対する各種データの読み出し又は書き込みを制御する。
【００２５】
また、バスライン５１０は、図３に示されているＣＰＵ５０１等の各構成要素を電気的に接続するためのアドレスバスやデータバス等である。
【００２６】
なお、図１に示されている中継装置３０のハードウェア構成は、通信管理システム５０のハードウェア構成と同様であるため、その説明を省略する。但し、中継装置３０の場合は、ＨＤ５０４に中継用プログラムが記憶されている。
【００２７】
＜電子黒板のハードウェア構成図＞
図４は、本実施形態に係る電子黒板のハードウェア構成図である。図４に示されているように、通信端末７０の一例としての電子黒板は、ＣＰＵ７０１、ＲＯＭ７０２、ＲＡＭ７０３、ＳＳＤ７０４、ネットワークコントローラ７０５、及び、外部記憶コントローラ７０６を備えている。
【００２８】
これらのうち、ＣＰＵ７０１は、電子黒板全体の動作を制御する。ＲＯＭ７０２は、ＣＰＵ７０１やＩＰＬ等のＣＰＵ７０１の駆動に用いられるプログラムを記憶する。ＲＡＭ７０３は、ＣＰＵ７０１のワークエリアとして使用される。ＳＳＤ７０４は、電子黒板用のプログラム等の各種データを記憶する。ネットワークコントローラ７０５は、通信ネットワーク４との通信を制御する。外部記憶コントローラ７０６は、ＵＳＢメモリ７５５、外付け機器（カメラ７６２、スピーカ７６５、マイク７６４）との通信を制御する。
【００２９】
また、電子黒板は、キャプチャデバイス７１１、ＧＰＵ７１２、ディスプレイコントローラ７１３、接触センサ７１４、センサコントローラ７１５、電子ペンコントローラ７１６、近距離通信回路７１９、及び近距離通信回路７１９のアンテナ７１９ａを備えている。
【００３０】
これらのうち、キャプチャデバイス７１１は、ノートＰＣ７５６のディスプレイに対して映像情報を静止画または動画として表示させる。ＧＰＵ(Graphics Processing Unit)７１２は、グラフィクスを専門に扱う半導体チップである。ディスプレイコントローラ７１３は、ＧＰＵ７１２からの出力画像をディスプレイ７５３等へ出力するために画面表示の制御及び管理を行う。接触センサ７１４は、ディスプレイ７５３上に電子ペン７５４やユーザの手Ｈ等が接触したことを検知する。センサコントローラ７１５は、接触センサ７１４の処理を制御する。接触センサ７１５は、赤外線遮断方式による座標の入力及び座標の検出を行う。この座標の入力及び座標の検出する方法は、ディスプレイ７５３の上側両端部に設置された２つ受発光装置が、ディスプレイ７５３に平行して複数の赤外線を放射し、ディスプレイ７５３の周囲に設けられた反射部材によって反射されて、受光素子が放射した光の光路と同一の光路上を戻って来る光を受光する方法である。接触センサ７１４は、物体によって遮断された２つの受発光装置が放射した赤外線のＩＤ(Identification)をセンサコントローラ７１５に出力し、センサコントローラ７１５が、物体の接触位置である座標位置を特定する。電子ペンコントローラ７１６は、電子ペン７５４と通信することで、ディスプレイ７５３へのペン先のタッチやペン尻のタッチの有無を判断する。近距離通信回路７１９は、ＮＦＣ（登録商標）、Ｂｌｕｅｔｏｏｔｈ（登録商標）等の通信回路である。
【００３１】
また、バスライン７１０は、図３に示されているＣＰＵ７１１等の各構成要素を電気的に接続するためのアドレスバスやデータバス等である。
【００３２】
なお、接触センサ７１５は、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、電子ペンコントローラ７１６が、電子ペン７５４のペン先及びペン尻だけでなく、電子ペン７５４のユーザが握る部分や、その他の電子ペンの部分のタッチの有無を判断するようにしてもよい。
【００３３】
＜スマートフォンのハードウェア構成＞
図５は、本実施形態に係るスマートフォンのハードウェア構成図である。図５に示されているように、移動体端末９０の一例としてのスマートフォンは、ＣＰＵ９０１、ＲＯＭ９０２、ＲＡＭ９０３、ＥＥＰＲＯＭ９０４、ＣＭＯＳセンサ９０５、加速度・方位センサ９０６、メディアＩ／Ｆ９０８、ＧＰＳ受信部９０９を備えている。
【００３４】
これらのうち、ＣＰＵ９０１は、スマートフォン９０全体の動作を制御する。ＲＯＭ９０２は、ＣＰＵ９０１やＩＰＬ等のＣＰＵ９０１の駆動に用いられるプログラムを記憶する。ＲＡＭ９０３は、ＣＰＵ９０１のワークエリアとして使用される。ＥＥＰＲＯＭ（Electrically Erasable and Programmable ROM）９０４は、ＣＰＵ９０１の制御にしたがって、移動体端末用プログラム等の各種データの読み出し又は書き込みを行う。ＣＭＯＳ(Complementary Metal Oxide Semiconductor)センサ９０５は、ＣＰＵ９０１の制御に従って被写体を撮像し画像データを得る。加速度・方位センサ９０６は、地磁気を検知する電子磁気コンパスやジャイロコンパス、加速度センサ等の各種センサである。メディアＩ／Ｆ９０８は、フラッシュメモリ等の記録メディア９０７に対するデータの読み出し又は書き込み（記憶）を制御する。ＧＰＳ受信部９０９は、ＧＰＳ衛星からＧＰＳ信号を受信する。
【００３５】
また、スマートフォンは、遠距離通信回路９１１、カメラ９１２、撮像素子Ｉ／Ｆ、マイク９１４、スピーカ９１５、音入出力Ｉ／Ｆ、ディスプレイ９１７、外部機器接続Ｉ／Ｆ９１８、近距離通信回路９１９、近距離通信回路のアンテナ９１９ａ、及びタッチパネル９２１を備えている。
【００３６】
これらのうち、遠距離通信回路９１１は、移動体通信網等の通信ネットワーク２を介して、他の機器と通信する回路である。カメラ９１２は、ＣＰＵ９０１の制御に従って被写体を撮像して画像データを得る内蔵型の撮像手段の一種である。撮像素子Ｉ／Ｆ９１３は、カメラ９１２の駆動を制御する回路である。マイク９１４は、音声を入力する内蔵型の集音手段の一種である。音入出力Ｉ／Ｆ９１６は、ＣＰＵ９０１の制御に従ってマイク９１４及びスピーカ９１５との間で音信号の入出力を処理する回路である。ディスプレイ９１５は、被写体の画像や各種アイコン等を表示する液晶や有機ＥＬなどの表示手段の一種である。外部機器接続Ｉ／Ｆ９１８は、各種の外部機器を接続するためのインターフェースである。近距離通信回路９１９は、ＮＦＣ（登録商標）、Ｂｌｕｅｔｏｏｔｈ（登録商標）等の通信回路である。タッチパネル９２１は、利用者がディスプレイ９１７を押下することで、スマートフォンを操作する入力手段の一種である。
【００３７】
また、バスライン９１０は、図５に示されているＣＰＵ９０１等の各構成要素を電気的に接続するためのアドレスバスやデータバス等である。
【００３８】
なお、移動体端末９０は、スマートフォンだけでなく、スマートウォッチ、携帯電話機、又は携帯ゲーム機等であってもよい。
【００３９】
また、上記各プログラムは、インストール可能な形式又は実行可能な形式のファイルで、コンピュータで読み取り可能な記録媒体に記録して流通させるようにしてもよい。録媒体の例として、ＣＤ−Ｒ(Compact Disc Recordable)、ＤＶＤ(Digital Versatile Disk)、ブルーレイディスク、ＳＤカード等が挙げられる。
【００４０】
＜＜通信システムの全体構成＞＞
続いて、図６を用いて、通信システムの全体構成について説明する。図６は、本発明の実施形態に係る通信システムの全体構成図である。
【００４１】
図６において、通信端末７０ａ、移動体端末９０ａは拠点Ａ、通信端末７０ｄは拠点Ｄ、通信端末１０拠点Ｃに設置されている。例えば、拠点Ａは日本で、拠点Ｄはイギリスで、拠点Ｃはアメリカである。拠点Ａでは、通信端末７０ａの利用者Ｘが、移動体端末９０の一種である移動体端末９０ａを利用している。また、拠点Ｄでは、通信端末７０ｄの利用者Ｙが、通信端末７０の一種である通信端末７０ｄを利用している。更に、拠点Ｃでは、通信端末１０の利用者Ｚが、通信端末１０を利用している。
【００４２】
また、移動体端末９０ａは、基地局３、移動体通信網等の通信ネットワーク２、及びインターネットを含む通信ネットワーク４を介して、通信端末７０ｄや通信端末１０とデータの相互通信を行なうことができる。
【００４３】
更に、通信端末７０ａ、中継装置３０、通信管理システム５０、通信端末７０ｄ、及び通信端末１０は、通信ネットワーク４を介してデータの相互通信を行なうことができる。なお、通信ネットワーク３，４には、無線通信部分が含まれてもよい。
【００４４】
なお、図６では、通信端末７０ａが自端末で、移動体端末９０ａが他端末である。
【００４５】
＜＜実施形態の機能構成＞＞
次に、図２乃至図５、図７及び図８を用いて、本実施形態の機能構成について説明する。図７及び図８は、本実施形態に係る通信システムの各機能ブロック図である。
【００４６】
＜通信端末１０の機能構成＞
図７に示されているように、通信端末１０は、送受信部１１、受付部１２、通信制御部１３、表示制御部１４、判断部１５、近距離通信部１８、読取部１７、近距離通信部１８、及び記憶・読出処理部１９を有している。これら各部は、図２に示されている各構成要素のいずれかが、フラッシュメモリ１０４からＲＡＭ１０３上に展開された通信用プログラムに従ったＣＰＵ１０１からの命令によって動作することで実現される機能、又は機能する手段である。また、通信端末１０は、図２に示されているＲＡＭ１０３、及び図２に示されているフラッシュメモリ１０４によって構築される記憶部１０００を有している。
【００４７】
（通信端末１０の各機能構成）
次に、通信端末１０の各構成要素について説明する。送受信部１１は、図２に示されているＣＰＵ１０１からの命令、並びにネットワークＩ／Ｆ１１１及び外部機器接続Ｉ／Ｆ１１８によって実現され、通信ネットワーク４を介して他の端末、装置又はシステムと各種データ（または情報）の送受信を行う。この送受信部１１は、他の端末と通信を開始する前から、通信管理システム５０より、宛先候補としての各端末の状態を示す各状態情報の受信を開始する。なお、この状態情報は、各端末の稼動状態（ＯＮラインかＯＦＦライン（切断中）かの状態）だけでなく、ＯＮラインであっても更に通信可能であるか、通信中であるか、一時中断中であるか等の詳細な状態を示す。以下では、一例として、状態情報が稼動状態を示す場合について説明する。
【００４８】
受付部１２は、主に、図２に示されているＣＰＵ１０１からの命令、並びに操作ボタン１０８及電源スイッチ１０９によって実現され、利用者による各種入力を受け付ける。
【００４９】
通信制御部１３は、図４に示されているＣＰＵ１０１からの命令、並びにカメラ１１２及び撮像素子Ｉ／Ｆ１１３によって実現され、被写体を撮像して、この撮像して得た画像データを出力する。また、通信制御部１３は、ＣＰＵ１０１からの命令、及び図２に示されている音声入出力Ｉ／Ｆ１１６によって実現され、マイク１１４によって利用者の音声が音声信号に変換された後、この音声信号に係る音データを入力する。更に、通信制御部１３は、図２に示されているＣＰＵ１０１からの命令、及び図２に示されている音声入出力Ｉ／Ｆ１１６によって実現され、音データに係る音声信号をスピーカに出力し、スピーカ１１５から音声を出力させる。
【００５０】
表示制御部１４は、主に、図２に示されているＣＰＵ１０１からの命令、及び図２に示されているディスプレイＩ／Ｆ１１７によって実現され、受信された解像度の異なる画像データを組み合わせ、この組み合わされた画像データをディスプレイ１２０に送信するための制御を行う。表示制御部１４は、通信管理システム５０から受信した宛先リストの情報をディスプレイ１２０に送信して、ディスプレイ１２０に宛先リストを表示させることができる。
【００５１】
読取部１７は、主に、図２に示されているＣＰＵ１０１からの命令、並びにカメラ１１２、撮像素子Ｉ／Ｆ１１３によって実現され、ＱＲコード（登録商標）等のバーコードを読み取ることで、バーコードで示されるデータを取得する。
【００５２】
近距離通信部１８は、主に、図２に示されているＣＰＵ１０１からの命令、及び近距離通信回路１１９及びアンテナ１１９ａによって実行され、近距離通信部を有する各端末との間で、近距離無線通信により、データの取得及び提供を行なう。
【００５３】
記憶・読出処理部１９は、主に、図２に示されているＣＰＵ１０１からの命令及びＳＳＤ１０５によって実行され、記憶部１０００又は記録媒体１０１０に各種データを記憶したり、記憶部１０００又は記録媒体１０１０に記憶された各種データを読み出したりする処理を行う。
【００５４】
更に、記憶部１０００には、他の端末との通信を行う際に受信される画像データ及び音データが、受信される度に上書き記憶される。このうち、上書きされる前の画像データによってディスプレイ１２０に画像が表示され、上書きされる前の音データによってスピーカ１１５から音声が出力される。記録媒体１０１０は、図２に示されている記録メディア１０６によって実現される。
【００５５】
なお、本実施形態の端末ＩＤは、通信端末１０を一意に識別するために使われる言語、文字、記号、又は各種のしるし等の端末識別情報の一例を示す。また、端末ＩＤは、上記言語、文字、記号、及び各種のしるしのうち、少なくとも２つが組み合わされた識別情報であってもよい。また、端末ＩＤに代えて、端末１０の利用者を識別するための利用者ＩＤを利用してもよい。この場合、端末識別情報には、端末ＩＤだけでなく、利用者ＩＤも含まれる。
【００５６】
＜中継装置の機能構成＞
図８に示されているように、中継装置３０は、転送部を兼ねた送受信部３１、判断部３２、及び記憶・読出処理部３９を有している。これら各部は、図３に示されている各構成要素のいずれかが、ＨＤ５０４からＲＡＭ５０３上に展開された中継用プログラムに従ったＣＰＵ５０１からの命令によって動作することで実現される機能又は機能する手段である。また、中継装置３０は、図３に示されているＲＡＭ５０３、ＨＤ５０４によって構築される記憶部３０００を有している。
【００５７】
（中継装置の各機能構成）
次に、中継装置３０の各機能構成について詳細に説明する。なお、以下では、中継装置３０の各機能構成を説明するにあたって、図３に示されている各構成要素のうち、中継装置３０の各機能構成を実現させるための主な構成要素との関係も説明する。
【００５８】
図８に示されている中継装置３０の送受信部３１は、図３に示されているＣＰＵ２０１からの命令、及び図３に示されているネットワークＩ／Ｆ５０９によって実現され、通信ネットワーク４を介して他の端末、装置、又はシステムと各種データ（または情報）の送受信を行う。また、送受信部３１は、転送部としての役割も果たし、所定の端末ら送信されて来た画像データ及び音データを、他の端末に転送する。
【００５９】
判断部３２は、図３に示されているＣＰＵ２０１からの命令によって実現され、データの遅延状態の判断等を行なう。
【００６０】
記憶・読出処理部３９は、図３に示されているＣＰＵ５０１からの命令、及び図３に示されているＨＤＤ５０５によって実現され、記憶部３０００に各種データを記憶したり、記憶部３０００に記憶された各種データを読み出したりする処理を行う。
【００６１】
＜通信管理システムの機能構成＞
図８に示されているように、通信管理システム５０は、送受信部５１、判断部５２、選択部５３、作成部５４及び記憶・読出処理部５９を有している。これら各部は、図７に示されている各構成要素のいずれかが、ＨＤ５０４からＲＡＭ５０３上に展開された通信管理用プログラムに従ったＣＰＵ５０１からの命令によって動作することで実現される機能又は機能する手段である。また、通信管理システム５０は、図３に示されているＨＤ５０４により構築される記憶部５０００を有している。
【００６２】
（認証管理テーブル）
図９は、認証管理テーブルを示す概念図である。記憶部５０００には、図９に示されているような認証管理テーブルによって構成されている認証管理ＤＢ５００１が構築されている。この認証管理テーブルでは、通信管理システム５０によって管理される全ての端末１０，７０，９０の各端末ＩＤに対して、各パスワードが関連付けられて管理される。例えば、図９示されている認証管理テーブルにおいて、通信端末７０の一種である通信端末７０ａａの端末ＩＤは「０１ａａ」で、パスワードは「ａａａａ」であることが示されている。なお、パスワードは認証情報の一例であり、認証情報にはアクセストークンも含まれる。
【００６３】
（端末管理テーブル）
図１０は、端末管理テーブルを示す概念図である。記憶部５０００には、図１０に示されているような端末管理テーブルによって構成されている端末管理ＤＢ５００２が構築されている。この端末管理テーブルでは、各通信端末１０，７０，９０の端末ＩＤ毎に、各通信端末１０，７０，９０を宛先とした場合の宛先名、各端末１０，７０，９０の稼動状態、後述のログイン要求情報が通信管理システム５０で受信された受信日時、及び通信端末１０，７０，９０のＩＰアドレスが関連付けられて管理される。例えば、図１０に示されている端末管理テーブルにおいて、端末ＩＤが「０１ａａ」の端末１０ａａは、端末名が「日本  東京事業所  ＡＡ端末」で、稼動状態が「ＯＮライン（通信可能）」で、通信管理システム５０でログイン要求情報が受信された日時が「２０１５年４月１０日の１３時４０分」で、この端末１０ａａのＩＰアドレスが「１．２．１．３」であることが示されている。なお、端末ＩＤ、宛先名、及び端末のＩＰアドレスは、各端末１０，７０，９０が、通信管理システム５０によるサービスの提供を受けるために事前登録する際に記憶される。
【００６４】
（宛先リスト管理テーブル）
図１１は、宛先リスト管理テーブルを示す概念図である。記憶部５０００には、図１１に示されているような宛先リスト管理テーブルによって構成されている宛先リスト管理ＤＢ５００３が構築されている。この宛先リスト管理テーブルでは、通信の開始を要求する開始端末の端末ＩＤに対して、宛先端末の候補として登録されている宛先端末の端末ＩＤが全て関連付けられて管理される。例えば、図１１に示されている宛先リスト管理テーブルにおいて、端末ＩＤが「０１ａａ」である開始端末（端末１０ａａ）から通信の開始を要求することができる宛先端末の候補は、端末ＩＤが「０１ａｂ」の端末１０ａｂ、端末ＩＤが「０１ｂａ」の端末１０ｂａ、及び端末ＩＤが「０１ｂｂ」の端末１０ｂｂ等であることが示されている。この宛先端末の候補は、任意の開始端末から通信管理システム５０に対する追加又は削除の要請により、追加又は削除されることで更新される。
【００６５】
なお、宛先リストは、宛先情報の一例であり、宛先情報には、リスト形式になっておらず、端末ＩＤ等の宛先に関する情報が羅列されていてもよい。
【００６６】
（セッション管理テーブル）
図１２は、セッション管理テーブルを示す概念図である。記憶部５０００には、図１２に示されているようなセッション管理テーブルによって構成されているセッション管理ＤＢ５００４が構築されている。このセッション管理テーブルでは、各端末と中継装置３０との間で相互通信を行なうためのセッションを識別するための通信セッションＩＤ毎に、使用される中継装置３０の中継装置ＩＤ、開始端末の端末ＩＤ、宛先端末の端末ＩＤ、宛先端末において画像データが受信される際の受信の遅延時間（ｍｓ）、及びこの遅延時間が示されている遅延情報を宛先端末から送られて来て通信管理システム５０で受信された受信日時が関連付けられて管理される。例えば、図１２に示されているセッション管理テーブルにおいて、セッションＩＤ「ｓｅ０１」を用いて実行されたセッションで、中継装置（中継装置ＩＤ「１１１ａ」）は、端末ＩＤが「０１ａａ」の開始端末（端末１０ａａ）と、端末ＩＤが「０１ｄｂ」の宛先端末（端末１０ｄｂ）との間で、画像データ及び音データを中継しており、宛先端末（端末１０ｄｂ）において「２０１５年４月１０日の１３時４１分」時点における画像データの遅延時間が２００（ｍｓ）であることが示されている。
【００６７】
（通信情報管理テーブル）
図１３は、通信情報管理テーブルを示す概念図である。記憶部５０００には、図１３に示されているような通信情報管理テーブルによって構成されている通信情報管理ＤＢ５００５が構築されている。この通信情報管理テーブルでは、各端末と中継装置３０との間で行なわれる相互通信を識別するための通信ＩＤ毎に、この使用される中継装置３０の中継装置のＩＰアドレス、及び相互通信する端末の端末ＩＤが関連付けられて管理される。なお、通信ＩＤは、通信識別情報の一例であり、複数の端末で会議を行なう場合には、この会議を識別するための会議ＩＤを示す。例えば、図１３に示されている通信情報管理テーブルにおいて、通信ＩＤ「ｃｏ０１」で示される相互通信で、中継を行なう中継装置（中継装置ＩＤ「１１１ａ」）のＩＰアドレスが「１．２．１．２」、相互通信する端末の端末ＩＤが「０１ａｂ」、「０１ｄａ」であることが示されている。
【００６８】
（通信管理システムの各機能構成）
次に、通信管理システム５０の各機能構成について詳細に説明する。なお、以下では、通信管理システム５０の各機能構成を説明するにあたって、図３に示されている各構成要素のうち、通信管理システム５０の各機能構成を実現させるための主な構成要素との関係も説明する。
【００６９】
図８に示されている通信管理システム５０の送受信部３１は、図３に示されているＣＰＵ５０１からの命令、及び図７に示されているネットワークＩ／Ｆ５０９によって実現され、通信ネットワーク４を介して他の端末、装置、又はシステムと各種データ（または情報）の送受信を行う。
【００７０】
判断部５２は、図３に示されているＣＰＵ５０１からの命令によって実現され、各種判断を行なう。
【００７１】
選択部５３は、図３に示されているＣＰＵ５０１からの命令によって実現され、各端末のＩＰアドレスに基づいて、相互通信に最適な中継装置を選択する。
【００７２】
作成部５４は、図３に示されているＣＰＵ５０１からの命令によって実現され、端末からの相互通信の開始要求に応じて、通信情報を作成する。この通信情報は、選択部５３によって選択された中継装置のＩＰアドレス、及び上述の通信ＩＤ等を含んでいる。
【００７３】
記憶・読出処理部５９は、図３に示されているＣＰＵ５０１からの命令、及び図３に示されているＨＤＤ５０５によって実現され、記憶部５０００に各種データを記憶したり、記憶部５０００に記憶された各種データを読み出したりする処理を行う。
【００７４】
＜通信端末７０ａの機能構成＞
図７に示されているように、通信端末７０ａは、送受信部７１ａ、受付部７２ａ、通信制御部７３ａ、表示制御部７４ａ、判断部７５ａ、読取部７７ａ、近距離通信部７８ａ、及び記憶・読出処理部７９ａを有している。これら各部は、図４に示されている各構成要素のいずれかが、ＳＳＤ７０４からＲＡＭ７０３上に展開された通信用プログラムに従ったＣＰＵ７０１からの命令によって動作することで実現される機能、又は機能する手段である。また、通信端末７０ａは、図４に示されているＲＡＭ７０３、及び図４に示されているＳＳＤ７０４によって構築される記憶部７０００を有している。
【００７５】
（通信端末７０ａの各機能構成）
次に、通信端末７０ａの各構成要素について説明する。送受信部７１ａは、図４に示されているＣＰＵ７０１からの命令、並びにネットワークＩ／Ｆ７０５及び外部機器接続Ｉ／Ｆ７０６によって実現され、通信ネットワーク４を介して他の端末、装置又はシステムと各種データ（または情報）の送受信を行う。この送受信部７１ａは、他の端末１０，７０ｄ，９０ａと通信を開始する前から、通信管理システム５０より、宛先候補としての各端末１０，７０ｄ，９０の状態を示す各状態情報の受信を開始する。なお、この状態情報は、各通信端末１０，７０ａ，９０ａの稼動状態（ＯＮラインかＯＦＦラインかの状態）だけでなく、ＯＮラインであっても更に通信可能であるか、通信中であるか、離席中であるか等の詳細な状態を示す。また、この状態情報は、各通信端末１０，７０ｄ，９０ａの稼動状態だけでなく、通信端末１０でケーブル１２０ｃが通信端末１０から外れていたり、音を出力するが画像は出力させなかったり、音を出力さないようにする（ＭＵＴＥ）等、様々な状態を示す。以下では、一例として、状態情報が稼動状態を示す場合について説明する。
【００７６】
更に、送受信部７１ａは、開始部としての役割も果たし、通信端末１０等の他の通信端末と通信を開始する処理を行なう。
【００７７】
受付部７２ａは、主に、図４に示されているＣＰＵ７０１からの命令、並びに接触センサ７１５及び電子ペンコントローラ７１６によって実現され、利用者による各種入力を受け付ける。
【００７８】
通信制御部７３ａは、利用者によって電子ペン５５４や手Ｈでディスプレイ７５３上に描画された描画データをストロークデータとしての描画データに変換する処理を行なう。通信端末７０ａが、他の通信端末７０ｄに描画データを送信すると、他の電子黒板７０ｄは、描画データに基づいて他の電子黒板７０ｄ側のディスプレイ７５３上に同じ内容の描画を表示する。
【００７９】
また、通信制御部７３ａは、主に、図４に示されているＣＰＵ７０１からの命令によって実現され、カメラ７６２が被写体を撮像して得た画像データに対して画像処理を行なう。また、通信制御部７３は、ＣＰＵ７０１からの命令によって実現され、マイク７６４によって利用者の音声が音声信号に変換された後、この音声信号に係る音データに対して音声処理を行なう。更に、通信制御部７３ａは、図４に示されているＣＰＵ７０１からの命令によって実現され、音データに係る音声信号をスピーカ７６５に出力し、スピーカ７６５から音声を出力させる。
【００８０】
表示制御部７４ａは、主に、図４に示されているＣＰＵ７０１からの命令、及び図４に示されているディスプレイコントローラ７１３によって実現され、受信された解像度の異なる画像データを組み合わせ、この組み合わされた画像データをディスプレイ７５３に送信するための制御を行う。表示制御部７４ａは、通信管理システム５０から受信した宛先リストの情報をディスプレイ７５３に送信して、ディスプレイ７５３に宛先リストを表示させることができる。
【００８１】
判断部７５ａは、主に、図４に示されているＣＰＵ７０１からの命令によって実現され、近距離通信部を有する他の端末が近接したか否かの判断等を行う。
【００８２】
読取部７７ａは、主に、図４に示されているＣＰＵ７０１からの命令、並びにカメラ７６２、外部機器接続Ｉ／Ｆ７０６によって実現され、ＱＲコード等のバーコードを読み取ることで、バーコードで示されるデータを取得する。
【００８３】
近距離通信部７８ａは、主に、図４に示されているＣＰＵ７０１からの命令、及び近距離通信回路７１９及びアンテナ７１９ａによって実行され、移動体端末９０との間で、近距離無線通信により、データの取得及び提供を行なう。
【００８４】
記憶・読出処理部７９は、主に、図４に示されているＣＰＵ７０１からの命令及びＳＳＤ７０４によって実行され、記憶部７０００又は記録媒体７０１０ａに各種データを記憶したり、記憶部７０００又は記録媒体７０１０ａに記憶された各種データを読み出したりする処理を行う。
【００８５】
更に、記憶部７０００には、他の通信端末との通信を行う際に受信される画像データ及び音データが、受信される度に上書き記憶される。このうち、上書きされる前の画像データによってディスプレイ７５３に画像が表示され、上書きされる前の音データによってスピーカ７６５から音声が出力される。記録媒体７０１０ａは、図４に示されているＵＳＢメモリ７５５によって実現される。
【００８６】
＜通信端末７０ｄの機能構成＞
図７に示されているように、通信端末７０ｄ、送受信部７１ｄ、受付部７２ｄ、通信制御部７３ｄ、表示制御部７４ｄ、判断部７５ｄ、読取部７７ｄ、近距離通信部７８ｄ、及び記憶・読出処理部７９ｄを有している。これら各部は、それぞれ、通信端末７０ａにおける、送受信部７１ａ、受付部７２ａ、通信制御部７３ａ、表示制御部７４ａ、判断部７５ａ、読取部７７ａ、近距離通信部７８ａ、及び記憶・読出処理部７９ａと同様の機能を有しているため、その説明を省略する。
【００８７】
＜移動体端末の機能構成＞
移動体端末９０ａは、送受信部９１ａ、受付部９２ａ、通信制御部９３ａ、表示制御部９４ａ、判断部９５ａ、読取部９７ａ、近距離通信部９８ａ、及び記憶・読出処理部９９ａを有している。これら各部は、図５に示されている各構成要素のいずれかが、ＥＥＰＲＯＭ９０４からＲＡＭ９０３上に展開された通信用プログラムに従ったＣＰＵ９０１からの命令によって動作することで実現される機能、又は機能する手段である。また、通信端末９０は、図５に示されているＲＡＭ９０３、及び図５に示されているＥＥＰＲＯＭ９０４によって構築される記憶部９０００ａを有している。
【００８８】
（移動体端末の各機能構成）
次に、移動体端末９０ａの各構成要素について説明する。送受信部９１ａは、主に、図５に示されているＣＰＵ９０１からの命令、並びに遠距離通信回路９１１及びアンテナ９１１ａによって実現され、通信ネットワーク２を介して他の端末、装置又はシステムと各種データ（通話データ等）の送受信を行う。
【００８９】
受付部９２ａは、主に、図５に示されているＣＰＵ９０１からの命令、並びにタッチパネル９２１によって実現され、利用者による各種入力を受け付ける。
【００９０】
通信制御部９３ａは、主に、図５に示されているＣＰＵ９０１からの命令、及び撮像素子Ｉ／Ｆ９１３によって実現され、カメラ９１２が被写体を撮像して得た画像データに対して画像処理を行なう。また、通信制御部９３ａは、ＣＰＵ９０１からの命令、及び音入出力Ｉ／Ｆ９１６によって実現され、マイク９１４によって利用者の音声が音声信号に変換された後、この音声信号に係る音データに対して音声処理を行なう。更に、通信制御部９３ａは、図５に示されているＣＰＵ９０１からの命令、及び音入出力Ｉ／Ｆ９１６によって実現され、音データに係る音声信号をスピーカ９１５に出力し、スピーカ９１５から音声を出力させる。
【００９１】
表示制御部９４ａは、主に、図５に示されているＣＰＵ９０１からの命令によって実現され、ディスプレイ９１７上に、画像データを表示させるための制御を行う。
【００９２】
判断部９５ａは、主に、図５に示されているＣＰＵ９０１からの命令によって実現され、後述の応答内容の判断等を行う。
【００９３】
読取部９７ａは、主に、図５に示されているＣＰＵ９０１からの命令、並びにカメラ９１２、撮像素子Ｉ／Ｆ９１３によって実現され、ＱＲコード等のバーコードを読み取ることで、バーコードで示されるデータを取得する。
【００９４】
近距離通信部９８ａは、主に、図５に示されているＣＰＵ９０１からの命令、及び近距離通信回路９１９及びアンテナ９１９ａによって実行され、他の端末との間で、近距離無線通信により、データの取得及び提供を行なう。
【００９５】
記憶・読出処理部９９ａは、主に、図５に示されているＣＰＵ９０１からの命令及びＥＥＰＲＯＭ９０４によって実行され、記憶部９０００ａに各種データを記憶したり、記憶部９０００ａに記憶された各種データを読み出したりする処理を行う。
【００９６】
＜＜実施形態の処理又は動作＞＞
次に、図６、図１４乃至図２３を用いて、本実施形態に係る通信システム１における処理又は動作を説明する。まずは、図６を用いて、本実施形態における状況を簡単に説明する。拠点Ａの利用者Ｘが拠点Ｄの利用者Ｙとビデオ会議等の相互通信を行ないたい場合、利用者Ｘは、据え置きの電子黒板として通信端末７０ａに対して、電子ペン７５４等を利用して通信の開始処理を行なうよりも、手元にある利用者端末９０ａを利用して通信の開始処理を行なう方が手軽なため便利である。しかし、一旦、移動体端末９０ａと宛先端末（ここでは、通信端末７０ｄ）との間で相互通信を開始すると、移動体端末９０ａのディスプレイ９１７のサイズが電子黒板である通信端末７０ａのディスプレイ７５３のサイズよりも非常に小さいため、会議等の話題等によっては、宛先端末側の利用者Ｙとの意思疎通を十分に図ることができない。そこで、利用者Ｘは、まず便利な移動体端末９０ａを利用して宛先リストから宛先端末を選択し、会議等の話題の内容に応じて、宛先端末側の利用者Ｙとの意思疎通を十分に図ることができれば、そのまま移動体端末９０ａを利用し、宛先端末側の利用者Ｙとの意思疎通を十分に図ることができなければ、移動体端末９０ａから通信端末７０ａに切り替える。
【００９７】
なお、移動体端末９０ａから通信端末７０ａに切り替えた後、第三者である拠点Ｃの利用者Ｚが、通信端末７０ａ，７０ｄの相互通信に参加する際に、切替元端末である移動体端末９０ａに対して参加要求をしても、又は切替先端末である通信端末７０ａに対して参加要求をしても、通信端末７０ａ，７０ｄとの相互通信に参加することができるような処理が行なわれる。以下、より具体的に説明する。
【００９８】
まず、図１４及び図１５を用いて、ログイン要求端末としての移動体端末９０ａが行なう通信の準備処理を説明する。なお、図１４は、通信の準備処理を示したシーケンス図である。図１５（ａ）は移動体端末９０ａにおけるログイン画面を示した画面例、図１５（ｂ）は移動体端末９０ａにおける宛先リストを示した画面例、図１５（ｃ）は通信端末１０における宛先リストを示した画面例である。
【００９９】
まず、移動体端末９０ａの表示制御部９４ａは、図１５（ａ）に示されている初期画面９１００を表示させる。この初期画面９１００には、端末ＩＤの入力欄９１１０、パスワードの入力欄９１２０が表示されている。なお、ボタン９９００は、選択や処理の決定の際に利用者によって押下されるボタンである。ここで、利用者Ｘが、入力欄９１１０に自己の端末ＩＤを入力すると共に、入力欄９１２０に自己のパスワードを入力すると、受付部９２ａが、端末ＩＤ及びパスワードの入力を受け付ける（ステップＳ２１）。そして、送受信部９１ａは、自ら通信セッションを識別するためのセッションＩＤを作成する。
【０１００】
次に、送受信部９１ａは、通信ネットワーク２，４を介して通信管理システム５０に、ログイン認証の要求を示すログイン要求情報を送信する（ステップＳ２３）。このログイン要求情報には、ステップＳ２１で入力された端末ＩＤ及びパスワードが含まれている。
【０１０１】
次に、通信管理システム５０の記憶・読出処理部５９は、送受信部５１を介して受信したログイン要求情報に含まれている端末ＩＤ及びパスワードを検索キーとして、認証管理テーブル（図９参照）を検索し、同一の端末ＩＤ及び同一のパスワードが管理されているかを判断することによって端末認証を行う（ステップＳ２４）。ここでは、記憶・読出処理部５９によって、同一の端末ＩＤ及び同一のパスワードが管理されているものとして、続けて説明する。
【０１０２】
記憶・読出処理部５９によって、同一の端末ＩＤ及び同一のパスワードが管理されているものとして、正当な利用権限を有する端末からのログイン要求であると判断された場合には、記憶・読出処理部５９は、端末管理テーブル（図１０参照）において、上記ステップＳ２３で受信された端末ＩＤのレコードの稼動状態のフィールド部分を「ＯＮライン（通信可能）」に変更すると共に、受信日時のフィールド部分に上記ステップＳ２３によってログイン要求情報が受信された受信日時を記憶する（ステップＳ２５）。これにより、端末管理テーブルには、端末ＩＤ「０１ａｂ」に、稼動状態「オンライン（通信可能）」、受信日時「２０１５．４．０９．１２：００」及びＩＰアドレス「１．２．１．４」が関連付けて管理されることになる。なお、端末のＩＰアドレスは、事前に登録されているのではなく、上記ステップＳ２３で移動体端末９０ａから送信されるようにしてもよい。
【０１０３】
次に、記憶・読出処理部５９は、上記ステップＳ２３によって受信された利用者端末９０ａの端末ＩＤ及びパスワードを含む新しいレコードを、セッション管理テーブル（図１２参照）で追加して管理する（ステップＳ２６）。そして、通信管理システム５０の送受信部５１は、上記ステップ２４の処理によって得られた認証結果が示された認証結果情報を、通信ネットワーク４，２を介して、上記ログイン要求してきた移動体端末９０ａに送信する（ステップＳ２７）。
【０１０４】
ログイン要求端末（移動体端末９０ａ）の送受信部９１ａが、正当な利用権限を有する端末であると判断された結果が示された認証結果情報を受信すると、送受信部９１ａが通信ネットワーク４，２を介して通信管理システム５０へ、宛先リストを要求する旨が示された宛先リスト要求情報を送信する（ステップＳ２８）。これにより、通信管理システム５０の送受信部５１は、宛先リスト要求情報を受信する。
【０１０５】
次に、記憶・読出処理部５９は、ログイン要求端末（移動体端末９０ａ）の端末ＩＤ「０１ａｂ」を検索キーとして、宛先リスト管理テーブル（図１１参照）を検索し、ログイン要求端末（移動体端末９０ａ）と通信することができる宛先候補の端末ＩＤを読み出すと共に、この端末ＩＤに対応する宛先名を端末管理テーブル（図１０参照）から読み出す（ステップＳ２９）。ここでは、ログイン要求端末（移動体端末９０ａ）の端末ＩＤ「０１ａｂ」に対応する宛先候補のそれぞれの端末ＩＤと、これらに対応する宛先名が抽出される。
【０１０６】
次に、通信管理システム５０の送受信部５１は、記憶・読出処理部５９を介して記憶部５０００から宛先リスト枠のデータ及び稼動状態を示すアイコンのデータを読み出す（ステップＳ３０）と共に、この宛先リスト枠及びアイコン並びに上記記憶・読出処理部５９によって読み出された端末ＩＤ及び宛先名を含めた「宛先リスト情報（宛先リスト枠、アイコン、端末ＩＤ、宛先名）」を、ログイン要求端末（移動体端末９０ａ）に送信する（ステップＳ３１）。これにより、ログイン要求端末（移動体端末９０ａ）では、送受信部９１ａが宛先リスト情報を受信し、記憶・読出処理部９９ａが記憶部９０００ａへ宛先リスト情報を記憶する（ステップＳ３２）。  
【０１０７】
このように、本実施形態では、各端末で宛先リスト情報を管理するのではなく、通信管理システム５０が全ての端末の宛先リスト情報を一元管理している。よって、通信システム１に新たな通信端末が含まれるようになったり、既に含まれている端末に替えて新機種の端末を含めるようになったり、宛先リスト枠の見栄え等を変更することになった場合でも、通信管理システム５０側で一括して対応するため、各端末側で宛先リスト情報の変更を行う手間を省くことができる。
【０１０８】
また、通信管理システム５０の記憶・読出処理部５９は、上述の読み出した宛先候補の端末ＩＤを検索キーとして、端末管理テーブル（図１０参照）を検索し、上記端末ＩＤ毎に、対応する稼動状態を読み出すことで、宛先候補としての通信端末の各稼動状態を取得する（ステップＳ３３）。
【０１０９】
次に、送受信部５１は、上記ステップＳ１２６で使用された検索キーとしての各端末ＩＤと、対応する各宛先端末の稼動状態とが含まれた「端末の状態情報」を、通信ネットワーク４を介して開始端末（通信端末７０ａ）に送信する（ステップＳ３４）。
【０１１０】
次に、開始端末（通信端末７０ａ）の記憶・読出処理部７９ａは、順次、通信管理システム５０から受信した端末の状態情報を記憶部７０００ａに記憶する（ステップＳ３５）。よって、開始端末（通信端末７０ａ）は、上記各通信端末の状態情報を受信することで、開始端末（通信端末７０ａ）と通信することができる宛先候補である通信端末１０等の現時点のそれぞれの稼動状態を取得することができる。
【０１１１】
次に、ログイン要求端末（移動体端末９０ａ）の表示制御部９４ａは、記憶部９０００ａに記憶されている宛先リスト情報、及び端末の状態情報に基づいて、宛先候補としての端末の状態を反映させた宛先リストを作成すると共に、表示制御部９４ａが、ディスプレイ９１７に対して、図１５（ｂ）に示されている宛先リスト画面９２００を表示する（ステップＳ３６）。この宛先リスト画面９２００には、宛先情報９２３０等のように、宛先端末毎に稼動状態を示すアイコン、及び宛先名が表示されている。なお、稼動状態を示すアイコンは、各宛先の左端に示されている。図１５（ｂ）では、各端末の稼動状態を示したアイコンが、上から「オフライン」、「オンライン（通信可能）」として表示されている。
【０１１２】
一方、通信管理システム５０の記憶・読出処理部５９は、ログイン要求端末（移動体端末９０ａ）の端末ＩＤ「０１ａｂ」に基づいて宛先リスト管理テーブル（図１１参照）を検索することにより、ログイン要求端末（移動体端末９０ａ）の端末ＩＤ「０１ａｂ」を宛先候補として登録している他の端末の端末ＩＤを抽出する（ステップＳ３７）。図１１に示されている宛先リスト管理テーブルでは、読み出される他の端末の端末ＩＤは、「０１ａａ」、「０１ｃａ」等である。
【０１１３】
次に、通信管理システム５０の記憶・読出処理部５９は、ログイン要求端末（移動体端末９０ａ）の端末ＩＤ「０１ａｂ」に基づいて端末管理テーブル（図１０参照）を検索し、ログイン要求端末（移動体端末９０ａ）の稼動状態を取得する（ステップＳ３８）。
【０１１４】
そして、送受信部５１は、上記ステップＳ３７で抽出された端末ＩＤに係る端末のうち、端末管理テーブル（図１０参照）で稼動状態が「オンライン」となっている端末に、上記ステップＳ３８で取得されたログイン要求端末（移動体端末９０ａ）の端末ＩＤ「０１ａｂ」と稼動状態「オンライン」が含まれる「端末の状態情報」を送信する（ステップＳ３９）。なお、送受信部５１が通信端末１０に端末の状態情報を送信する際に、各端末ＩＤに基づいて、端末管理テーブル（図１０参照）で管理されている通信端末のＩＰアドレスを参照する。これにより、ログイン要求端末（移動体端末９０ａ）を宛先候補として通信することができる他の宛先端末のそれぞれに、上記ログイン要求端末（移動体端末９０ａ）の端末ＩＤ「０１ａｂ」、及び稼動状態「オンライン」を伝えることができる。これにより、宛先候補（通信端末１０等）においても、図１５（ｃ）に示されているような宛先候補の状態を表示させることができる（ステップＳ４０）。
【０１１５】
続いて、図１６至図１８を用いて、利用者Ｘが移動体端末９０ａを利用して、宛先リストから宛先端末を選択し、そのまま移動体端末９０ａを利用せずに、移動体端末９０ａが切替元端末となり、通信端末７０ａが切替先端末となって、相互通信を切り替えるための処理を説明する。図１６は、切替元端末が宛先端末と相互通信を開始する前に、切替先端末に対して相互通信を切り替えるための指示を行なう処理を示したシーケンス図である。図１７は、移動体端末が他の端末と相互通信する際の画面例を示した図である。図１８は、相互通信を切り替える際の切替先端末における画面例である。
【０１１６】
まず、利用者Ｘが、図１５（ｂ）の宛先リスト画面９２００における宛先情報９２３０を選択すると、受付部９２ａは、宛先端末の選択を受け付ける（ステップＳ１４１）。そして、表示制御部９４ａは、図１７（ａ）に示されているような選択画面９５００を表示させる（ステップＳ１４２）。この選択画面９５００には、移動体端末９０ａをこのまま利用して宛先端末との通信を開始する際に押下されるボタン９５１０、及び、移動体端末９０ａから他の端末（ここでは、通信端末７０ａ）に切り替えて通信の準備を行う場合に押下されるボタン９５２０が表示されている。ここでは、利用者Ｘが、ボタン９５２０を押下する場合について、以下に説明する。
【０１１７】
次に、利用者Ｘによる電子ペン７５４等の入力操作により、切替先端末（ここでは、通信端末７０ａ）の表示制御部７４ａは、ディスプレイ７５３上に、図１８（ａ）に示されているような宛先リスト画面７１００ａを表示させる（ステップＳ１４３）。この宛先リスト画面７１００ａには、各端末の宛先候補の稼動状態、端末ＩＤ、宛先名が表示されている。この宛先リスト画面７１００ａが表示されるための処理に関しては、図１４において、移動体端末９０ａが通信端末７０ａに代わっただけで、基本的な処理は同様であるため、その説明を省略する。また、宛先リスト画面７１００ａには、下部にＱＲコードを表示させる際に押下するための「ＱＲコード」ボタン７１１０ａが表示されている。そして、利用者Ｘが、「ＱＲコード」ボタン７１１０ａを押下すると、受付部７２ａが表示の要求を受け付け、表示制御部７４ａが、図１８（ｂ）に示されているようなＱＲコード表示画面７２００ａを表示させる（Ｓ１４４）。このＱＲコード表示画面７２００ａには、自端末（通信端末７０ａ）の端末ＩＤを示すＱＲコード７２１０ａ、及び一般の移動体端末によってＱＲコードを読み取る動作を説明した説明図７２２０ａが表示される。
【０１１８】
次に、利用者Ｘが、図１７（ａ）に示されているボタン９５２０を押下すると、受付部９２ａがＱＲコードの読取画面を表示する旨を受け付け、表示制御部９４ａが、図１７（ｂ）に示されているＱＲコード読取画面９６００に切り替えて表示させる（ステップＳ１４５）。このＱＲコード読取画面９６００には、カメラ９１２によって読み取られた画像を表示するための画像表示領域９６１０、及び画像表示領域９６１０の表示を取り止めて元の通信画面９４００に戻るための「キャンセル」ボタン９６２０が表示されている。そして、利用者Ｘが切替元端末を切替先端末に近付けて、図１７（ｂ）に示されている画像表示領域９６１０に、図１８（ｂ）に示されているＱＲコード７２１０ａを表示させると、読取部９７ａはＱＲコードを読み取る（ステップＳ１４６）。これにより、切替元端末は、切替先端末の端末ＩＤを取得することができる。
【０１１９】
次に、切替元端末の送受信部９１ａは、通信管理システム５０に対して、切替元端末から相互通信の開始要求を行なうように指示する旨を示す開始指示情報を送信する（ステップＳ１４７）。この開始指示情報には、開始端末としての切替元端末の端末ＩＤ、宛先端末の端末ＩＤ、切替先端末の端末ＩＤ、及びパスワードが含まれている。このうち、開始端末としての切替元端末の端末ＩＤは、後述のステップＳ３０１により、切替先端末によって、切替元端末が相互通信の開始要求を行なっているように見せかけるために利用される。また、パスワードは、移動体端末９０ａのパスワードであり、ステップＳ２１で利用者Ｘによって入力されたパスワードである。これにより、通信管理システム５０の送受信部５１は、開始指示情報を受信する。
【０１２０】
次に、送受信部５１は、ステップＳ１４７によって受信された開始指示情報を、そのまま切替先端末に転送する（ステップＳ１４８）。この際、通信管理システム５０では、送受信部５１が、端末管理テーブル（図１０参照）で管理されている切替先端末のＩＰアドレスに対して転送する。これにより、切替先端末の送受信部７１ａは、開始指示情報を受信する。これに対して、切替先端末では、送受信部７１ａが、通信管理システム５０に対して、開始要求を承諾する旨を示す承諾情報を送信する（ステップＳ１４９）。これにより、通信管理システム５０の送受信部５１は、承諾情報を受信する。この承諾情報には、開始端末としての切替元端末の端末ＩＤ、及び宛先端末の端末ＩＤが含まれている。
【０１２１】
１
次に、送受信部５１は、ステップＳ１４９によって受信された承諾情報を、そのまま切替元端末に転送する（ステップＳ１５０）。これにより、切替元端末の送受信部７１ａは、承諾情報を受信する。以上より、切替元端末は、切替先端末のＩＰアドレスを取得していなくても、通信管理システム９０ａを介して、切替元端末に対して特定の宛先端末に相互通信の開始要求を指示することができる。
【０１２２】
続いて、図１９を用いて、切替先端末が切替元端末に代わって切替元端末のログイン認証の要求を行なう処理を説明する。図１９は、切替先端末が切替元端末に代わって切替元端末のログイン及び稼動状態変更通知を行なう処理を示したシーケンス図である。
【０１２３】
まず、図１９に示されているように、切替先端末は、切替元端末として、セッションＩＤを再作成する（ステップＳ２２１）。そして、切替先端末の送受信部７１ａは、切替元端末として、通信管理システム５０に、ログイン認証の要求を示すログイン要求情報を送信する（ステップＳ２２２）。このログイン要求情報には、ステップＳ２２１で作成されたセッションＩＤ、並びに、ステップ１４９の処理で取得された切替元端末の端末ＩＤ及びパスワードが含まれている。また、ステップＳ２２２の送信の際に、切替先端末のＩＰアドレスも送信される。これにより、通信管理システム５０の送受信部５１は、ログイン要求情報を受信する。
【０１２４】
次に、通信管理システム５０の記憶・読出処理部５９は、送受信部５１を介して受信したログイン要求情報に含まれている端末ＩＤ及びパスワードを検索キーとして、認証管理テーブル（図９参照）を検索し、同一の端末ＩＤ及び同一のパスワードが管理されているかを判断することによって端末認証を行う（ステップＳ２２３）。ここでは、記憶・読出処理部５９によって、同一の端末ＩＤ及び同一のパスワードが管理されているものとして、続けて説明する。
【０１２５】
記憶・読出処理部５９によって、同一の端末ＩＤ及び同一のパスワードが管理されているものとして、正当な利用権限を有する端末からのログイン要求であると判断された場合には、記憶・読出処理部５９は、端末管理テーブル（図１０参照）において、上記ステップＳ２２２で受信された端末ＩＤのレコードの稼動状態のフィールド部分を「ＯＮライン（通信可能）」に変更すると共に、受信日時のフィールド部分に上記ステップＳ２３によってログイン要求情報が受信された受信日時を記憶する（ステップＳ２２４）。そして、記憶・読出処理部５９は、切替元端末がログインしたときにステップＳ２６によって作成したレコードを削除し、切替先端末が切替元端末に成り代わってログインしたことによるレコードの追加を行なう（ステップＳ２２５）。また、この際に、記憶・読出処理部５９は、追加したレコードに、ステップＳ２２２によって受信された切替元端末の端末ＩＤ及びパスワードを管理する（ステップＳ２２５）。これにより、通信管理システム５０は、移動体端末９０ａがステップＳ２３で行なったログイン要求に関しては、通信セッションを切断したものとして管理する。
【０１２６】
次に、通信管理システム５０の送受信部５１は、上記ステップ２２３の処理によって得られた認証結果が示された認証結果情報を、上記ログイン要求してきた切替先端末に送信する（ステップＳ２２６）。更に、送受信部５１は、切替元端末に、通信セッションを切断した旨を示す切断通知情報を送信する（ステップＳ２２７）。これにより、切替元端末の送受信部９１ａは、切断通知情報を受信する。そして、切替元端末では、表示制御部９３ａが、図１７（ｄ）に示されているように、切替完了画面９７００を表示させる（ステップＳ２２８）。この切替完了画面９７００には、切り替えが完了した旨を示すコメント９７１０と、利用者Ｘが確認した際に押下するための「ＯＫ」ボタン９７２０が表示されている。そして、利用者Ｘが「ＯＫ」ボタン９７２０を押下すると、受付部９２ａが押下を受け付け、表示制御部９４ａが、図１５（ａ）に示されている初期画面であるログイン画面に偏移させる（ステップＳ２２９）。
【０１２７】
続いて、図２０乃至図２２を用いて、切替先端末が切替元端末の端末ＩＤを利用することで、通信管理システム５０に対して切替元端末が相互通信の開始要求を行なうように見せかけることで、通話等の相互通信を開始する処理を説明する。即ち、相互通信を開始する端末である開始端末は、切替先端末としての通信端末７０ａであるが、開始端末の端末ＩＤには、切替元端末としての移動体端末９０ａの端末ＩＤが利用される。
【０１２８】
なお、図２０は、端末間で相互通信を開始するためのシーケンス図である。図２１（ａ）は相互通信中の通信端末７０ｄ側の画面例を示した図、図２１（ｂ）は相互通信中の通信端末７０ａ側の画面例を示した図である。
【０１２９】
まず、開始端末（通信端末７０ａ）は、通信管理システム５０に対して、相互通信を開始する要求を示す開始要求情報を送信する（ステップＳ３０１）。この開始要求情報には、開始端末の端末ＩＤ（ここでは、切替元端末である移動体端末９０ａの端末ＩＤ）、及び、宛先端末（ここでは、通信端末７０ｄ）の端末ＩＤが含まれている。これにより、通信管理システム５０は、開始要求情報を受信する。
【０１３０】
次に、通信管理システム５０では、選択部５３が、開始端末及び宛先端末の各ＩＰアドレスに基づいて、最寄の中継装置を選択する（ステップＳ３０２）。各端末のＩＰアドレスは端末管理テーブルで管理されており、各中継装置のＩＰアドレスは記憶部５０００に予め記憶されている。次に、作成部５４は、中継装置のＩＰアドレス、及び通信ＩＤを含む通信情報を作成する（ステップＳ３０３）。この通信ＩＤは、開始端末及び宛先端末が行なっている相互通信を識別するための識別情報である。そして、記憶・読出処理部５９は、通信情報管理テーブル（図１３参照）に、通信情報の内容である通信ＩＤ及び中継装置のＩＰアドレス、並びに、ステップＳ３０１で受信された開始端末の端末ＩＤ（切替元端末の端末ＩＤ）及び宛先端末の端末ＩＤを関連付けて記憶することにより管理する。その後、送受信部５１は、宛先端末（ここでは、通信端末７０ｄ）に対して、開始要求情報を送信する（ステップＳ３０５）。この開始要求情報には、上記ステップＳ３０１で開始端末から送られて来た各端末ＩＤに加え、通信情報が含まれている。これにより、宛先端末の送受信部７１ｄは、開始要求情報を受信する。以下、宛先端末で相互通信を許可する応答を行なう場合について、以下に続けて説明する。
【０１３１】
宛先端末では、受付部７２ｄが利用者Ｙから、ステップＳ３０５による開始要求に対して相互通信を行なう応答を受け付ける（ステップＳ３０６）。そして、送受信部７１ｄは、通信管理システム５０に対して応答可否情報を送信する（ステップＳ３０７）。この場合の応答可否情報は応答可である旨を示し、開始端末の端末ＩＤ（切替元端末の端末ＩＤ）が含まれている。これにより、通信管理システム５０の送受信部５１は、応答可否情報を受信する。
【０１３２】
次に、通信管理システム５０の記憶・読出処理部５９は、ステップＳ３０７で受信された開始端末の端末ＩＤを検索キーとして、通信情報管理テーブル（図１３参照）を検索することにより、対応する通信情報（通信ＩＤ、中継装置ＩＰアドレス）を読み出す（ステップＳ３０８）。そして、送受信部５１は、開始端末に対して、応答可否情報を送信する。この場合の応答可否情報には、ステップＳ３０８で読み出された通信情報が含まれている。これにより、開始端末の送受信部７１ａは、応答可否情報を受信する。
【０１３３】
次に、宛先端末の送受信部７１ｄは、ステップＳ３０５で受信した通信情報に含まれる中継装置のＩＰアドレスに対して、相互通信のセッションを確立する要求を示す確立要求情報を送信する（ステップＳ３１０）。この確立要求情報には、開始端末の端末ＩＤと宛先端末の端末ＩＤが含まれている。また、送信元である宛先端末のＩＰアドレスも送信される。一方、開始端末の送受信部７１ａは、ステップＳ３０９で受信した通信情報に含まれる中継装置のＩＰアドレスに対して、相互通信のセッションを確立する要求を示す確立要求情報を送信する（ステップＳ３１１）。この確立要求情報には、開始端末の端末ＩＤと宛先端末の端末ＩＤが含まれている。また、送信元である開始端末のＩＰアドレスも送信される。これにより、中継装置３０と開始端末との間で、画像及び音を相互通信するための通信セッションが確立すると共に（ステップＳ３１２−１）、中継装置３０と宛先端末との間で、画像及び音を相互通信するための通信セッションが確立する（ステップＳ３１２−２）。
【０１３４】
次に、開始端末の送受信部７１ａは、通信管理システム５０に対して自端末（開始端末）の状態情報を送信する（ステップＳ３１３−１）。この状態情報には、開始端末の端末ＩＤ、及び稼動状態情報（ここでは「通信中」）が含まれている。これにより、通信管理システム５０の送受信部５１は、開始端末の状態情報を受信する。更に、開始端末の送受信部７１ａは、切替元端末に代わり、通信管理システム５０に対して、切替元端末の状態情報を送信する（ステップＳ３１３−２）。この状態情報には、切替元端末の端末ＩＤ、及び稼動状態情報（ここでは「通信中」）が含まれている。これにより、通信管理システム５０の送受信部５１は、切替元端末の状態情報を受信する。一方、宛先端末の送受信部７１ｄは、通信管理システム５０に対して自端末（宛先端末）の状態情報を送信する（ステップＳ３１３−３）。この状態情報には、宛先端末の端末ＩＤ、及び稼動状態情報（ここでは「通信中」）が含まれている。これにより、通信管理システム５０の送受信部５１は、宛先端末の状態情報を受信する。このように、各端末は、通信管理システム５０に対して、自ら自端末の稼動状態を通知するが、開始端末としての切替先端末は、切替元端末の稼動状態も通知する。そして、通信管理システム５０では、記憶・読出処理部５９が、端末管理テーブル（図１０参照）において、開始端末としての切替先端末の端末ＩＤに関連付けられている稼動状態を「通信中」に変更し、切替元端末の端末ＩＤに関連付けられている稼動状態を「通信中」に変更し、更に、宛先端末の端末ＩＤに関連付けられている稼動状態を「通信中」に変更する（ステップＳ３１４）。
【０１３５】
以上より、宛先端末側では、図２１（ａ）に示されているような通信画面７３００ｄが表示される。この通信画面７３００ｄには、相手側（通信端末７０ａ）の画像を表示するための表示領域７３１０ｄ、自端末側（通信端末７０ｄ）側の画像（映像）を表示するための表示領域７３２０ｄが表示されている。更に、この通信画面７３００ｄには、参加者としての第三者側の画像（映像）を表示するための表示領域７３３０ｄが表示されている。一方、開始端末側では、図２１（ｂ）に示されているような通信画面７３００ａが表示される。この通信画面７３００ａには、相手側（通信端末７０ｄ）の画像を表示するための表示領域７３１０ａ、自端末側（通信端末７０ａ）側の画像（映像）を表示するための表示領域７３２０ａが表示されている。更に、この通信画面７３００ａには、参加者としての第三者側の画像（映像）を表示するための表示領域７３３０ａが表示されている。
【０１３６】
このように、利用者Ｘは、図１７（ａ）に示されている移動体端末９０ａ（スマートフォン）の小さい画面９５００から、通信端末７０ａ（電子黒板）の大きい通信画面７３００ａに変更して、相手側（通信端末７０ｄ）と会議等を行なうことができるため、利用者Ｘは、遠隔地の利用者Ｙとの意思疎通を向上させることができる。
【０１３７】
また、ステップＳ３１３−１，２の処理により、第三の端末（通信端末１０等）において、図２２（ａ）に示されているような宛先候補の状態を表示させることができる。図２２（ａ）では、端末ＩＤが「０１ａａ」の切替先端末（通信端末７０ａ）及び端末ＩＤが「０１ａｂ」の切替元端末（移動体端末９０ａ）の稼動状態が、共に「通話中」となっている。
【０１３８】
以上のように、本実施形態では、切替元端末の通信セッションは切断された状態であるが、稼動状態は「通話中」になっている。これにより、第三者である通信端末１０の利用者Ｚは、切替元端末と切替先端末のどちらに対してであるかを気にせずに、会議等の相互通信に参加することができる。なお、本実施形態の発明を採用しない場合、図２２（ｂ）に示されているように、端末ＩＤが「０１ａｂ」である切替元端末（移動体端末９０ａ）の稼動状態が、通信セッションの切断により、「ＯＦＦライン」となり、移動体端末９０ａに相互通信への参加要求を行なえないことになる。
【０１３９】
続いて、図２３を用いて、相互通信を終了する場合の処理を説明する。図２３は、相互通信を終了する場合の処理を示したシーケンス図である。
【０１４０】
まず、利用者Ｘによる電子ペン７５４等の入力操作により、切替先端末（ここでは、通信端末７０ａ）の受付部７２ａは、通信からの退出を受け付ける（ステップＳ４０１）。そして、送受信部７１ａは、中継装置３０に対して、通信セッションの切断の要求を示す切断要求情報を送信する（ステップＳ４０２）。この切断要求情報には、切替先端末の端末ＩＤが含まれている。これにより、中継装置３０の送受信部３１は、切断要求情報を受信する。更に、切替先端末の送受信部７１ａは、通信管理システム５０に対して、相互通信から退出する要求を示す退出要求情報を送信する（ステップＳ４０３）。この退出要求情報には、切替先端末の端末ＩＤが含まれている。これにより、通信管理システム５０の送受信部５１は、退出要求情報を受信する。そして、通信管理システム５０では、記憶・読出処理部５９が、通信情報管理テーブル（図１３参照）から、切替先端末の端末ＩＤを削除する（ステップＳ４０４）。
【０１４１】
更に、切替先端末は自端末の稼動状態の管理を変更させるため、切替先端末の送受信部７１ａは、通信管理システム５０に対して、切替先端末の稼動状態を示す状態情報を送信する（ステップＳ４０５）。この状態情報には、切替先端末の端末ＩＤ、及び稼動状態「通信可能」を示す稼動状態情報が含まれている。これにより、通信管理システム５０の送受信部５１は、切替先端末の状態情報を受信する。そして、通信管理システム５０では、記憶・読出処理部５９が、切替先端末の端末ＩＤを利用して、端末管理テーブル（図１０参照）の切替先端末の稼動状態を「通信可能」に変更する（ステップＳ４０６）。
【０１４２】
続けて、切替先端末が、切替元端末に代わって切替元端末の稼動状態の管理を変更させるため、切替先端末の送受信部７１ａは、通信管理システム５０に対して、切替元端末の稼動状態を示す状態情報を送信する（ステップＳ４０７）。この状態情報には、切替元端末の端末ＩＤ、及び稼動状態「ＯＦＦライン」を示す稼動状態情報が含まれている。これにより、通信管理システム５０の送受信部５１は、切替元端末の状態情報を受信する。そして、通信管理システム５０では、記憶・読出処理部５９が、切替元端末の端末ＩＤを利用して、端末管理テーブル（図１０参照）の切替元端末の稼動状態を「ＯＦＦライン」に変更する（ステップＳ４０８）。
【０１４３】
更に、切替先端末が、切替元端末に代わって切替元端末の通信セッションの管理を「切断」に変更させるため、切替先端末の送受信部７１ａは、通信管理システム５０に対して、切断要求情報を送信する（ステップＳ４０９）。この切断要求情報には、切替元端末の端末ＩＤが含まれている。これにより、通信管理システム５０の送受信部５１は、切断要求情報を受信する。そして、通信管理システム５０では、記憶・読出処理部５９が、切替元端末の端末ＩＤを利用して、セッション管理テーブル（図１２参照）から、切替元端末の端末ＩＤが含まれるレコードを削除する（ステップＳ４１０）。以上より、通信管理システム５０は、切替先端末及び切替元端末の各通信セッションを「切断」として管理すると共に各稼動状態を「ＯＦＦライン」として管理される。
【０１４４】
＜＜本実施形態の主な効果＞＞
以上説明したように本実施形態によれば、切替先端末（通信端末７０ａ）が、切替元端末（移動体端末９０ａ）に対して、ＱＲコードにより自端末（通信端末７０ａ）の端末ＩＤ〔自端末識別情報の一例〕を提供し（Ｓ１４４参照）、この端末ＩＤを利用して切替元端末から通信管理システム５０を介して送られて来た切替元端末の端末ＩＤ〔他端末識別情報の一例〕を受信する（Ｓ１４８参照）。そして、切替先端末は、宛先端末との相互通信の開始を要求する際に、通信管理システム５０に対して、開始端末の端末ＩＤ〔開始端末識別情報の一例〕として、自端末（通信端末７０ａ）の端末ＩＤに替えて切替元端末の端末ＩＤを送信する（Ｓ３０１参照）。これにより、利用者Ｘが操作の手軽な移動体端末で、宛先端末の選択等、ある程度の操作を行なった後に、相互通信の開始を要求する際には、比較的表示画面の大きい通信端末７０ａから開始要求を行なうことで、操作の手軽さと相手との意思疎通の向上の両方を満たすことができるという効果を奏する。
【０１４５】
また、切替元端末（移動体端末９０ａ）は、自らでも宛先端末と通信を開始することができるが、切替先端末（通信端末７０ａ）に対して操作の手軽なリモコンの役割を果たすことができる。
【０１４６】
また、切替先端末（通信端末７０ａ）は、通信管理システム５０に対して、自端末（通信端末７０ａ）の通信状態が「通信中」である旨を示す状態情報を送信し（Ｓ３１３−１参照）、切替元端末の通信状態が「通信中」である旨を示す状態情報を送信する（Ｓ３１３−２）。これにより、第三者である通信端末１０の利用者Ｚは、切替元端末と切替先端末のどちらに対してであるかを気にせずに、会議等の相互通信に参加することができるという効果を奏する。
【０１４７】
＜＜実施形態の補足＞＞
上記実施形態では、ＱＲコードを用いて、切替先端末の端末ＩＤを切替元端末に提供したが、これに限るものではない。例えば、近距離無線部７８ａ，９８ａによる近距離無線、又は、ＵＳＢケーブル等を利用した有線通信により提供してもよい。
【０１４８】
また、上記ステップ３０７では、応答可否情報に、開始端末の端末ＩＤが含まれているが、これに限るものではない。例えば、開始端末の端末ＩＤの代わりに通信情報を含めるようにしてもよい。この場合、通信管理システム５０の記憶・読出処理部５９が、通信情報を検索キーとして通信情報管理テーブル（図１３参照）を検索することにより、対応する開始端末の端末ＩＤを読み出す。
【０１４９】
また、通信端末の一例として、ビデオ会議端末及び電子黒板であるオフィス機器について説明したが、これに限るものではない。通信端末の他の例として、ＩＰ(Internet Protocol)電話機、インターネット電話機、カーナビゲーション端末、監視カメラが含まれる。また、他のオフィス機器として、プリンタ、ＦＡＸ、ＭＦＰ(Multifunction Peripheral/Printer/Product)等が挙げられる。更に、通信端末には、医療機器が含まれる。医療機器には、電子内視鏡、放射線治療装置等が含まれる。
【０１５０】
また、移動体端末の一例として、スマートフォンである携帯通信端末について説明したが、これに限るものではない。携帯通信端末の他の例として、携帯電話機、デジタルカメラ、携帯ゲーム機、ＩＣカード、又はウェアラブルコンピュータ等が含まれる。ウェアラブルコンコンピュータには、スマートウォッチ、ヘッドマウントディスプレイ等が含まれる。
【０１５１】
また、上記実施形態では、コンテンツデータの一例として、画像データ及び音データについて説明したが、これに限るものではなく、触覚(touch)データであってもよい。この場合、一方の端末側でユーザが接触した感覚が、他方の端末側に伝達される。更に、コンテンツデータは、嗅覚（smell）データであってもよい。この場合、一方の端末側で取得された匂い（臭い）のデータが、他の端末側に伝達され、他の端末に接続された又は他の端末が備える匂い（臭い）発生機器によって匂い（臭い）が発生される。また、コンテンツデータは、画像データ、音データ、触覚データ、及び嗅覚データのうち、少なくとも１つのデータであればよい。
【０１５２】
また、上記実施形態では、通信システム１によってビデオ会議をする場合について説明したが、これに限るものではなく、打ち合わせ、家族間や友人間等の一般的な会話、又は、一方向での情報の提示に使用されても構わない。
【０１５３】
また、上記実施形態では、記憶要求や読出要求について、ＮＦＣ等の近距離無線通信の例を説明したが、超音波通信を用いてもよい。
【符号の説明】
【０１５４】
１  通信システム
２  通信ネットワーク（移動体通信網は一例）
４  通信ネットワーク（インターネットは一例）
１０  通信端末
３０  中継装置
５０  通信管理システム
７０ａ  通信端末（（自）端末の一例）
７１ａ  送受信部（受信手段の一例、送信手段の一例）
７４ａ  表示制御部（提供手段の一例）
７７ａ  読取部
７８ａ  近距離通信部（提供手段の一例）
７０ｄ  通信端末
９０ａ  移動体端末（他端末の一例）
９７ａ  読取部（取得手段の一例）
９８ａ  近距離通信部（取得手段の一例）
５００１  認証管理ＤＢ
５００２  端末管理ＤＢ
５００３  宛先リスト管理ＤＢ
５００４  セッション管理ＤＢ
５００５  通信情報管理ＤＢ
【先行技術文献】
【特許文献】
【０１５５】
【特許文献１】特開２０１２−１７８１３５号公報
【図１】
0006565430.tif 000002
【図２】
0006565430.tif 000003
【図３】
0006565430.tif 000004
【図４】
0006565430.tif 000005
【図５】
0006565430.tif 000006
【図６】
0006565430.tif 000007
【図７】
0006565430.tif 000008
【図８】
0006565430.tif 000009
【図９】
0006565430.tif 000010
【図１０】
0006565430.tif 000011
【図１１】
0006565430.tif 000012
【図１２】
0006565430.tif 000013
【図１３】
0006565430.tif 000014
【図１４】
0006565430.tif 000015
【図１５】
0006565430.tif 000016
【図１６】
0006565430.tif 000017
【図１７】
0006565430.tif 000018
【図１８】
0006565430.tif 000019
【図１９】
0006565430.tif 000020
【図２０】
0006565430.tif 000021
【図２１】
0006565430.tif 000022
【図２２】
0006565430.tif 000023
【図２３】
0006565430.tif 000024